(57)【要約】【課題】非常時以外の平時でも違和感なくずきんを装着する。【解決手段】平時には、後頭開放縁３７（第一の開放部）または頭頂開放縁４０（第二の開放部）でずきん本体１を開いてほぼ平坦にし、保温通気シート４側を内側にして人間の両肩に掛けて保温できる。ポケット部３２からマスク部３１を取り出して、口などに掛けることができる。非常時には、防火シート２側を外にして、ずきん本体１の後頭開放縁３７または頭頂開放縁４０を閉じて、ずきん本体１をずきん状にして、頭から被って覆う。上記マスク部３１は耳に掛けてもよいし掛けなくてもよい。マスク部３１はずきん本体１装着時のほか肩掛け装着時にも口に掛けることができる。【選択図】図２
2019187972.tif 000002
【特許請求の範囲】
【請求項１】
人間の頭部の後頭部から両側頭部を覆うずきん本体と、
上記人間の顔部にてこのずきん本体に形成された、上記覆う部分が存在しない顔部と、
上記ずきん本体の上記後頭部付近でずきん本体を開いて、当該ずきん本体をほぼ平坦にし、上記人間の両肩に掛けることが可能となる第一の開放部と、
この両肩に掛けられたずきん本体の両端を連結して固定する連結部とを備えたことを特徴とするずきん。
【請求項２】
人間の頭部の後頭部から両側頭部を覆うずきん本体と、
上記人間の顔部にてこのずきん本体に形成された、上記覆う部分が存在しない顔部と、
上記ずきん本体の上記顔部から頭頂部へかけた付近でずきん本体を開いて、当該ずきん本体をほぼ平坦にし、上記人間の両肩に掛けることが可能となる第二の開放部と、
この両肩に掛けられたずきん本体の両端を連結して固定する連結部とを備えたことを特徴とするずきん。
【請求項３】
上記顔部の外縁付近に形成された物を収納可能なポケット部と、
このポケット部付近に一端を固定され、当該ポケット部内に収納可能なマスク部と、
このマスク部を上記ポケット部から引き出して、上記人間の口部付近を覆い、当該マスク部の他端を着脱自在に上記顔部または上記ずきん本体に固定する着脱部とを備えたことを特徴とする請求項１または２記載のずきん。
【請求項４】
上記マスク部の一端は上記ポケット部付近に着脱自在に固定されていることを特徴とする請求項３記載のずきん。
【請求項５】
上記ずきん本体を上記人間の両肩に掛けた状態で、上記マスク部が上記人間の口部付近を覆うことを特徴とする請求項４記載のずきん。
【請求項６】
上記ずきん本体を上記人間の両肩に掛けた状態で、人体側には保温性の高い素材が配置され、上記ずきん本体の両肩の部分は凹んで両肩を収納することを特徴とする請求項５記載のずきん。
【請求項７】
上記ずきんが両肩に掛けられた状態において、上記マスク部は上記人間の頭部に係止される係止機構が設けられていることを特徴とする請求項６記載のずきん。
【請求項８】
上記マスク部は上記人間の耳には係止されず、当該頭部に係止するための係止機構が設けられていないことを特徴とする請求項６記載のずきん。
【発明の詳細な説明】
【技術分野】
【０００１】
本発明は、ずきんに関し、災害時等に頭部等を守るずきんに関する。
【背景技術】
【０００２】
このようなずきんは、災害時に頭部を守るために重要なものである。このようなずきんを装着するときは、火事、地震などの災害時の時が多く、平時は使用しないで、しまい込んでしまうことが多い。そうすると、非常時に、ずきんを取り出すのに手間取ってしまい、ずきんの装着に時間を要してしまうことがあった。
【０００３】
また、上記のような災害時には煙、埃などで、空気も汚れていることが多い。そのため、汚れた空気を吸い込まないように、マスクを備えたものが考えられてきている。しかし、このようなマスクは、常に必要であるとは限られず、ずきんの装着時に不要となることもあった。
【０００４】
【特許文献１】実開昭６０−９７７２４号公報
【特許文献２】実開昭５９−４０３３２号公報
【特許文献３】実開昭５５−５１３９４号公報
【特許文献４】実開昭５４−０７９８２０号公報
【特許文献５】特開昭５２−１０８２３２号公報
【特許文献６】特開２０１２−２３９６５５号公報
【特許文献７】特開２０１３−２４４１２０号公報
【発明の開示】
【発明が解決しようとする課題】
【０００５】
本発明は、上述した課題を解決するためになされたものであり、本発明の目的は、平時でもずきんを違和感なく装着でき、非常時にすぐにずきんを装着できるようにすることにある。また、
ずきんの装着時にマスクを装着したり外したりしても、マスクを無くしたりすることがなく、迅速に取り出して装着できるようにすることにある。
【課題を解決するための手段】
【０００６】
このため、本発明のずきんは、  人間の頭部の後頭部から両側頭部を覆うずきん本体と、  上記人間の顔部にてこのずきん本体に形成された、上記覆う部分が存在しない顔部と、  上記ずきん本体の上記後頭部付近でずきん本体を開いて、当該ずきん本体をほぼ平坦にし、上記人間の両肩に掛けることが可能となる開放部と、  この両肩に掛けられたずきん本体の両端を連結して固定する連結部とを備えるようにした。
【０００７】
また、本発明のずきんは、  上記に加えて、  上記顔部の外縁付近された物を収納可能なポケット部と、  このポケット部付近に一端を固定され、当該ポケット部内に収納可能なマスク部と、  このマスク部を上記ポケット部から引き出して、上記人間の口部付近を覆い、当該マスク部の他端を着脱自在に上記顔部または上記ずきん本体に固定する着脱部とを備えるようにした。
【発明の効果】
【０００８】
これにより、本件ずきんを普段は肩かけとして使用でき、非常時にはこれを頭部にずらしてずきんとして使用できる。  また、マスク部を使用しないときには、ポケット部にマスク部を収納しておくことができ、マスク部を無くしたりすることがなく、迅速に取り出して装着できる。
【図面の簡単な説明】
【０００９】
【図１】ずきん本体１を展開して広げた状態の第一実施形態を示す。
【図２】ずきん本体１を人間の頭部に装着して防災ずきんとして使用した状態を示す。本図は第一実施形態であるが、便宜上第二実施形態の頭頂開放縁（第二の開放部）４０も示している。
【図３】ずきん本体１をクッションとして使用した状態の第一実施形態を示す。
【図４】ずきん本体１をクッションとして使用した状態の第一実施形態の別の例を示す。
【図５】ずきん本体１の断面構造の第一実施形態を示す。
【図６】ずきん本体１を肩掛け（ショール）として使用した状態の第一実施形態を示す。
【図７】ずきん本体１を展開して広げた状態の第二実施形態を示す。
【図８】ずきん本体１を肩掛け（ショール）として使用した状態の第二実施形態を示す。
【符号の説明】
【００１０】
１…ずきん  ２…防火シート
３…クッション体  ４…保温通気シート
５…袋部  ６…開口部  ７…顔部
１１…固定バンド  １２…雌ホック（連結部）
１３…雄ホック（連結部）  １４…緊縮ひも（連結部）  
２１…難燃綿  ２２…不燃性の布
２３…立体構造編物  ３１…マスク部
３２…ポケット部  ３３…着脱面ファスナー（着脱部）
３６…巻き付け縁  ３７…開放縁（第一の開放部）
３８、３９、４１、４２、４３…連結ホック（連結部）
４０…頭頂開放縁（第二の開放部）  ４４…係止部（係止機構）
【発明を実施するための最良の形態】
【００１１】
（１）ずきん本体１の構造
図１はずきん本体１を展開して広げた状態を示す。長尺状の方形状の防火シート２は、不燃性または難燃性の素材からなっており、災害時などに頭部、首部及び肩部付近を火災及びガラス等の飛散物、落下物、その他の危険物から守る。この防火シート２の上ほぼ全面には、防火シート２とほぼ同形同大のやはり長尺状の方形状のクッション性を有するクッション体３が積層されている。
【００１２】
このクッション体３は、上記保防火シート２及び次述する保温通気シート４の厚さの十倍乃至千倍であって、数ｃｍ乃至数十ｃｍの厚さを有しており、人体が当接しても凹んで圧力を受け止めて人体に快適な当接感を与える。このクッション体３の上ほぼ全面には、上記クッション体３及び防火シート２とほぼ同形同大のやはり長尺状の方形状の、保温性または通気性のある素材からなる保温通気シート４が積層されている。
【００１３】
この保温通気シート４は、保温性または通気性を有し、人体に接すると肌触りがよい。この保温通気シート４の全周縁と上記防火シート２の全周縁と縫合されており、上記クッション体３を間に挟んで、この防火シート４と上記保温通気シート２とは一体的に連結される。
【００１４】
上記保温通気シート４の一方の先端付近の上の全面には、保温通気シート４と同じ素材からなるほぼ長方形状の布の周縁が、保温通気シート４または防火シート２の周縁と縫合されて、袋部５が形成されている。この袋部５のほぼ長方形状の布の四辺のうち、ずきん本体１の中心に近い辺、つまり装着した時、頭頂部に近い辺、言いかえると保温通気シート４の周縁に沿っていない内側の辺のみ縫合されておらず、開口部６が形成されている。
【００１５】
この袋部５の外面は、横方向に複数のゴムバンドの両端が、保温通気シート４の前縁と後縁との周縁に縫合され、このゴムバンドに袋部５の布が、しわを寄せて縫合または接着されており、袋部５の外面は弾性的に伸縮自在であり、防火シート２の側まで反転裏返しが可能となっている。
【００１６】
なお、保温通気シート４の他方の先端付近の上の全面にも、この袋部５の外面と同じ布が縫合されている。但し、上記開口部に相当する周縁も保温通気シート４に縫合されており、開口部は形成されず、袋状にもならない。これにより、ずきん本体１は、左右対称のデザインとなる。なお、この反対側の袋部５と同じ布についても、装着した時、頭頂部に近い内側の辺のみ縫合されなくてもよい。これにより、ずきん本体１の左右対称に袋部５を構成できる。
【００１７】
ずきん本体１、つまり保温通気シート４、クッション体３及び保温通気シート４の上記袋部５のある方の先端において、上記袋部５の前縁と後縁との中央付近には、帯状で、弾性的に伸縮自在の固定バンド１１の一端と他端とが連結かつ縫合されている。この固定バンド１１は、上記袋部５のない、ずきん本体１の他端にも、またはこの他端だけに連結、縫合、取り付けられてもよい。
【００１８】
上記ずきん本体１、つまり防火シート２、クッション体３及び保温通気シート４の左右の後縁、図１の左後方縁に沿って、雌ホック１２と雄ホック１３と（連結部）が、複数等間隔に取り付けられている。ずきん本体１の頭頂部に当たる中心線から右側には、雄ホック１３が取り付けられ、同じく左側には、雌ホック１２が取り付けられている。
【００１９】
ずきん本体１が防災ずきんとして使用される場合には、これらの雌ホック１２と雄ホック１３は、互いに係合して連結され、頭部の後縁が連結される。クッションとして使用される場合には、これらの雌ホック１２と雄ホック１３とははずされ、ずきん本体１の左右が展開され広げられる。
【００２０】
したがって、雌ホック１２と雄ホック１３と（連結部）は、着脱自在である。このような雌ホック１２と雄ホック１３とは、ずきん本体１の頭頂部中心から左右に延びて取り付けられ、肩付近には取り付けられていない。むろん、取り付けても良い。
【００２１】
上記ずきん本体１、つまり防火シート２、クッション体３及び保温通気シート４の左右の前縁、図１の右前方縁に沿って、縫合によって、トンネル状の挿通穴が形成され、この挿通穴の両端口は、ずきん本体１の中央と両端の中間付近に形成されている。
【００２２】
この両端口から上記挿通穴内を緊縮ひも１４（連結部）  が挿通され、この緊縮ひも１４の両端は、ずきん本体１の外に引き出され、両端には抜け防止ピンが結びつけられている。この緊縮ひも１４を、防災ずきんのときに、両端口から引っ張ると、防災ずきんの顔の開口部が狭くなって、顔が熱風、炎、ガラス等の飛散物、落下物、その他の危険物から守られる。
【００２３】
（２）ずきん本体１を防災ずきんとして使用するとき
図２はずきん本体１を人間の頭部に装着して防災ずきんとして使用した状態を示す。この場合、ずきん本体１を中央で折り曲げて、後縁の雌ホック１２と雄ホック１３とを係合連結して、ずきん本体１の後縁の左右を閉じて、頭部にかぶる。
【００２４】
そうすると、上記保温通気シート４、クッション体３及び防火シート２、つまりずきん本体１は、人間の頭部の頭頂部から左右の両側頭部を経て左右の肩部にかけて配置され、保温通気シート４は、頭頂部から、左右両側頭部及び後頭部を経て、首部、肩部などに接する状態で配置される。
【００２５】
したがって、ずきん本体１は人間の頭部の後頭部から両側頭部を覆う。ただし、このずきん本体１は、人間の顔部にて顔部７が形成され、この顔部７にて、上記覆う部分が存在しない部分が、ずきん本体１に形成されている。そして、クッション体３は、この保温通気シート４の外側に配置され、さらに防火シート２は、クッション体３の外側に配置される。
【００２６】
上記袋部５はずきん本体１の内側の肩部付近に到達して位置し、袋部５の開口部６は、頭部の頬付近に位置し、頭頂部に向かって開口する。また、この袋部５のある右先端と同じ右先端の外側に、固定バンド１１は位置し、さらにずきん本体１の外側の首部付近にも固定バンド１１は位置する。
【００２７】
この固定バンド１１は頭部を回ってくぐって、袋部５の無い反対側に反転され、保温通気シート４、クッション体３及び保温通気シート４、つまりずきん本体１の左右及び後部を首部付近で絞って、当該ずきん本体１が頭部から容易に離脱しなくなる。
【００２８】
上記緊縮ひも１４を、両端口から引っ張ると、または斜め上に向かって引き上げると、防災ずきんの顔の開口部が狭くなって、顔が熱風、炎、ガラス等の飛散物、落下物、その他の危険物から守られる。
【００２９】
（３）マスク部３１  
図２はずきん本体１に設けられたマスク部３１を示す。上記顔部７の外縁付近には、ポケット部３２が形成されている。このポケット部３２は、ずきん本体１内に袋状に形成され、上記顔部７の外縁付近に開口しており、この袋状のポケット部３２内にはこの開口を通じて物が収納可能となっている。
【００３０】
このポケット部３２内には、一枚の布状のマスク部３１が収納されたり取り出されたりされる。このポケット部３２は台形状で、この台形の一側辺つまり一端でポケット部３２の開口に縫合されて固定されている。  
【００３１】
上記ポケット部３２の上記顔部７の外縁付近の開口と左右対称の位置には、ずきん本体１の顔部７に着脱面ファスナー３３（着脱部）が取り付けられている。上記マスク部３１の台形の上記縫合端と左右対称の位置の他側辺の他端には、着脱面ファスナー３３が取り付けられている。
【００３２】
このマスク部３１の着脱面ファスナー３３は、上記ポケット部３２付近の着脱面ファスナー３３に着脱自在に連結される。この連結によって、上記マスク部３１がポケット部３２から引き出されて、人間の口部付近がマスク部３１によって覆われ、当該マスク部３１の他端が着脱自在に上記顔部７の外縁付近または上記ずきん本体１に固定される。
【００３３】
ポケット部３２の開口は、開放されていたが、マスク部３１を収納したとき、またはマスク部３１を取り出したとき、閉じられてもよい。このとき、この開口には、着脱面ファスナー、連結ホック３８（連結部）、連結ホック３９（連結部）、面ファスナー、線ファスナー、接着テープ、ボタン、フック、ホック、磁石、紐を結んだり解いたり等、着脱自在に連結できるものが設けられる。
【００３４】
上記着脱面ファスナー３３側にもポケット部３２が設けられていてもよい。この場合、マスク部３１はポケット部３２の開口に縫合されず、マスク部３１の端縁付近に着脱面ファスナーが設けられ、ポケット部３２の開口付近に着脱面ファスナーが設けられ、これら着脱面ファスナーどうしが着脱されて、マスク部３１がポケット部３２に対して着脱自在であってもよい。このとき、マスク部３１は一方のポケット部３２に収納されるほか、他方のポケット部３２に収納可能となる。
【００３５】
これにより、上記マスク部３１には、耳に係止するための係止機構が設けられておらず不要となり、当該マスク部３１は人間の耳に係止されなくとも、人間の口及び／または鼻をしっかりとふさぐことができる。
【００３６】
上記２つのポケット部３２には、厚さ、大きさ、幅、高さ、形状、色彩、模様の異なる／同じ複数のマスク部３１が収納され、状況やずきん本体１を使用する人間の顔部、あご部の大きさ、形状に応じて、最適なマスク部３１が選ばれて装着されてもよい。
【００３７】
（４）ずきん本体１を肩掛け（ショール）として使用するとき（第一実施形態）
図６はずきん本体１を肩掛け（ショール）として使用した状態の第一実施形態を示す。上記ずきんとして使用されているずきん本体１を肩掛け（ショール）として使用するには以下のようにする。まず、上記雌ホック１２…と雄ホック１３…との係合をはずして、ずきん本体１の後頭部付近でずきん本体１を開いて、ずきん本体１を図１に示すように展開してほぼ平坦にする。
【００３８】
次いで、緊縮ひも１４、１４のある巻き付け縁３６を首に巻くようにして、ずきん本体１を上記人間の両肩に掛ける。この場合、首に巻く縁と反対側の後頭開放縁３７（第一の開放部）は、上述の雌ホック１２…と雄ホック１３…との係合をはずして、ずきん本体１の後頭部付近でずきん本体１を開いて、ずきん本体１を図１に示すように展開してほぼ平坦にする。
【００３９】
次いで、連結ホック３８と連結ホック３９とを連結して固定する。この連結ホック３８は上記巻き付け縁３６の一端の角に設けられ、連結ホック３９は上記巻き付け縁３６の他端の角に設けられ、両肩に掛けられたずきん本体１の両端が互いに着脱自在に連結される。連結ホック３８と連結ホック３９を外せば、ずきん本体１を両肩から外すことができる。
【００４０】
こうして、ずきん本体１を肩掛け（ショール）として使用することもできる。これにより、肩をずきん本体１で覆って防寒をすることが暖められる。連結ホック３８、３９の代わりに、緊縮ひも１４、１４（連結部）どうしを結んでも、ずきん本体１を両肩に固定することができる。
【００４１】
巻き付け縁３６は、首に当たるので、ソフトで肌ざわりの良い材質の物が選ばれるが、ソフトでなくてもよい。肩掛け（ショール）として使用されるずきん本体１の表裏はどちら向きでもよく、どちらが裏でもよい。
【００４２】
この肩掛け（ショール）の場合であって、ずきん本体１が両肩に掛けられた状態において、上記マスク部３１の左右両縁には、係止部４４、４４（係止機構）が設けられている。この係止部４４、４４（係止機構）は、人間の耳に係止される。
【００４３】
これにより、ずきん本体１を肩掛け（ショール）として使用しても、つまりずきん本体１を人間の両肩に掛けた状態で、マスク部３１で人間の口または鼻をふさぐことができる。この肩掛け（ショール）では、保温通気シート４が人体側で防火シート２が外側なので、肩がより保温される。
【００４４】
この係止部４４は、ひも状にされ、このひも状の係止部４４は、マスク部３１の両上端に縫合され、ここから延びて耳に係止されて曲がり、上記２つのポケット部３２の開口にそれぞれ縫合されてもよい。また、マスク部３１は細長いベルト状にされ、このベルト状のマスク部３１の両端縁は上記２つのポケット部３２の開口にそれぞれ縫合され、顔部を周回するように口または鼻をふさぐようにしてもよい。
【００４５】
この係止部４４は、設けられなくてもよい。これにより、マスク部３１の係止部４４を省略して、マスク部３１を簡易にできる。上記両肩の部分付近でずきん本体１は凹んでいてもよい。これにより、この凹みに両肩を収納して、両肩を確実に保温できる。
【００４６】
そして、ずきん本体１を人間の両肩に掛けた状態で、人体側には保温性の高い素材である保温通気シート４が配置され、この保温通気シート４は保温性または通気性を有し、人体に接すると肌触りがよいので、気持ちよく保温される。
【００４７】
（５）ずきん本体１をクッションとして使用するとき（１）
図３はずきん本体１をクッションとして使用した状態を示す。上記防災ずきんとして使用されているずきん本体１をクッションとして使用するには以下のようにする。まず、上記雌ホック１２と雄ホック１３との係合をはずして、ずきん本体１を図１に示すように展開して平坦にする。
【００４８】
次いで、ずきん本体１の防火シート２側を、頭頂部すなわち中央で二つ折りに曲げる。図１及び図３において、ずきん本体１の手前側の端、つまり袋部５の無いほうの左先端を下方に折り曲げ、残りの折り曲げていない部分の下に互いに隙間なく重ねる。
【００４９】
これに応じて、当然のことであるが、上記クッション体３も、折り曲げられた防火シート２に沿って折り曲げられ、さらに、上記保温通気シート４も、この折り曲げられたクッション体３に沿って折り曲げられる。したがって、当該保温通気シート４は、二つに折り曲げられたずきん本体１のいちばん上の上面にも、いちばん下の下面にも、ずきん本体１全体にわたる外面全面に沿って配置される。
【００５０】
そして、上記固定バンド１１の内側に、上記折り曲げられた防火シート２、クッション体３及び保温通気シート４の袋部５が無い側の先端を挿通させて、これらに固定バンド１１を架け渡す。これにより、防火シート２、クッション体３及び保温通気シート４の左右が離れないように折り曲げられた状態で連結固定される。
【００５１】
次いで、袋部５の開口部６を持ち上げて、図３に示すように、折り曲げられた防火シート２、クッション体３及び保温通気シート４の上面から下面に、袋部５を反転させて裏返す。この結果、裏返された袋部５の中に、折り曲げられた防火シート２、クッション体３及び保温通気シート４全体が収納固定される。また、防火シート２、クッション体３及び保温通気シート４の左右が離れないように折り曲げられた状態で連結固定される。
【００５２】
このとき、折り曲げられた防火シート２、クッション体３及び保温通気シート４の上面は保温通気シート４と同じ材質の袋部５の裏面が位置し、下面は、保温通気シート４が位置し、クッションとして人体がクッションの上面でも下面でもいずれにも当接したときに、肌触りがよく快適となる。また、固定バンド１１は、袋部５内に収納することができて邪魔にならない。
【００５３】
そして、このようなクッションはいつも身の回りに置いておいても邪魔にならず、災害時その他の緊急時には、袋部５から防火シート２、クッション体３及び保温通気シート４を引き出して、すぐに防災ずきんとして着用・使用できる。この場合、クッションとして折り畳んだときのずきん本体１の外面となる袋部５内面または保温通気シート４に「これは防災ずきんです。緊急時には開いてお使いください。」等のメッセージを印刷等しておけば、家庭、職場以外でも、公共の場所でも、誰でも、使用可能である。
【００５４】
（６）ずきん本体１をクッションとして使用するとき（２）
図４はずきん本体１をクッションとして使用した状態の別の例を示す。まず、上記のように展開して平坦にした状態から、ずきん本体１の防火シート２側を、保温通気シート４をほぼ三等分する状態で、袋部５の無い先端から順次折り曲げていく。
【００５５】
図１及び図４において、ずきん本体１の手前側の端、つまり袋部５のない左先端を上方に折り曲げ、さらにもう一回上方に折り曲げていき、残りの折り曲げていない部分の上、つまり袋部５の上に隙間なく重ねる。
【００５６】
これに応じて、当然のことであるが、上記クッション体３も、折り曲げられた防火シート２に沿って折り曲げられ、さらに、上記保温通気シート４も、この折り曲げられたクッション体３に沿って折り曲げられる。したがって、防火シート２は、三つに折り曲げられたずきん本体１のいちばん上の上面にも、いちばん下の下面にも、ずきん本体１全体にわたる外面全面に沿って配置される。
【００５７】
そして、袋部５の開口部６を持ち上げて、図４に示すように、袋部５の中に、折り曲げられた防火シート２、クッション体３及び保温通気シート４を入れ込む。この結果、袋部５の中に、折り曲げられた防火シート２、クッション体３及び保温通気シート４全体が、折り曲げられた状態で収納固定される。また、防火シート２、クッション体３及び保温通気シート４の左右が離れないように折り曲げられた状態で連結固定される。
【００５８】
次いで、上記固定バンド１１を引き下げて、図４に示すように、袋部５内に収納された防火シート２、クッション体３及び保温通気シート４の上側に、固定バンド１１を反転させて裏返す。この結果、袋部５の外面側に固定バンド１１が位置し、袋部５内から防火シート２、クッション体３及び保温通気シート４が飛び出さないように、固定バンド１１で固定される。
【００５９】
このとき、折り曲げられた防火シート２、クッション体３及び保温通気シート４の上面は、保温通気シート４と同じ材質の袋部５の外面が位置し、クッションとして人体がクッションの上面でも下面でもいずれにも当接したときに、肌触りがよく快適となる。一方、この折り畳まれたずきん本体１の下面には防火シート２が位置しているので、緊急時にずきん本体１を展開しないでも、この下面の防火シート２を、炎等に向けて安全を図ることもできる。
【００６０】
また、固定バンド１１は、袋部５の外にあるので、ずきん本体１を座椅子または自動車の座席などに固定するときに、この固定バンド１１を使うことができる。さらに、この固定バンド１１でハンガーボックスに掛けたり吊り下げたりして、収納に便利となる。また、この固定バンド１１を取っ手として使い、運搬に便利となる。
【００６１】
そして、このようなクッションはいつも身の回りに置いておいても邪魔にならず、災害時その他の緊急時には、袋部５から防火シート２、クッション体３及び保温通気シート４を引き出して、すぐに防災ずきんとして着用・使用できる。この場合、クッションとして折り畳んだときのずきん本体１の外面となる防火シート２または袋部５外面に「これは防災ずきんです。緊急時には開いてお使いください。」等のメッセージを印刷等しておけば、家庭、職場以外でも、公共の場所でも、誰でも、使用可能である。
【００６２】
（７）ずきん本体１を肩掛け（ショール）として使用するとき（第二実施形態）
図７及び図８は、ずきん本体１を肩掛け（ショール）として使用した状態の第二実施形態を示す。本実施形態では、顔部７からずきん本体１の後頭部にかけて、頭頂部に沿って前後に延びる頭頂開放縁４０（第二の開放部）が形成されている。
【００６３】
この頭頂開放縁４０に沿って、ずきん本体１を左右に開くことができ、ずきんとして使用するときは、頭頂開放縁４０に沿って設けられた連結ホック４１…（連結部）を互いに連結させて閉じる。  
【００６４】
このずきんとして使用されているずきん本体１を肩掛け（ショール）として使用するには以下のようにする。まず、上記連結ホック４１…の係合をはずして、ずきん本体１の顔部から頭頂部へかけた付近でずきん本体１を開いて、ずきん本体１を図７に示すように展開してほぼ平坦にする。
【００６５】
次いで、上記頭頂開放縁４０を首に巻くようにして、ずきん本体１を上記人間の両肩に掛け、  連結ホック４２（連結部）と連結ホック４３（連結部）とを連結して固定する。この連結ホック４２は上記頭頂開放縁４０の一端の角に設けられ、連結ホック４３は上記頭頂開放縁４０の他端の角に設けられ、両肩に掛けられたずきん本体１の両端が互いに着脱自在に連結される。連結ホック４２と連結ホック４３を外せば、ずきん本体１を両肩から外すことができる。
【００６６】
こうして、ずきん本体１を肩掛け（ショール）として使用することもできる。連結ホック４２、４３の代わりに、緊縮ひも１４、１４（連結部）どうしを結んでも、ずきん本体１を両肩に固定することができる。頭頂開放縁４０は、首に当たるので、ソフトで肌ざわりの良い材質の物が選ばれるが、ソフトでなくてもよい。肩掛け（ショール）として使用されるずきん本体１の表裏はどちら向きでもよく、どちらが裏でもよい。
【００６７】
上記各実施形態の一部を他の実施形態の一部に取り込んだり置き換えたり入れ替えたりしてもよいし、上述の各実施形態の各部分の構成・構造は、上述の他の実施形態の各部分の構成・構造にも、転用可能であるし、上述の各実施形態の構成、作用、効果は、上述の他の実施形態の構成、作用、効果としても、記載されているものとする。さらに、上述の各実施形態で記載されていないことは、上述の他の実施形態が参照される。
【００６８】
（８）ずきん本体１の断面構造及び材質
図５はずきん本体１の断面構造を示す。上記マスク部３１は、例えば、ＥＣＦ機能性レーヨン／プラチナレーヨンなどが用いられる。ＥＣＦ機能性レーヨン／プラチナレーヨンは、プラチナ入りレーヨン例えば３０％、綿７０％であり、プラチナ入りレーヨンはプラチナ／白金をナノコロイド状としてレーヨンに織り込んでいる。
【００６９】
ナノコロイド状は、例えば、プラチナ／白金を、例えば２ナノメートルとナノメートルの大きさで細かくし、このナノコロイド状のプラチナ／白金は、抗酸化効果を有し、特定の活性酸素だけでなく、あらゆる活性酸素に対して、体に無害な酸素に変化させる。このとき、ナノコロイド状のプラチナ／白金自体は酸化しないため、抗酸化効果は半永久的に持続するし、洗濯などによっても脱落しない。
【００７０】
上記活性酸素の代表例は、スーパオキシドアニオン（Ｏ2−）、ヒドロキシラジカル（ＯＨ・）、過酸化水素（Ｈ2Ｏ2）、一重項酸素（1Ｏ2）などである。このような活性酸素は、本来エネルギー生産、侵入異物攻撃、不要な細胞の処理、細胞情報伝達などに際して生産される有用なものである。
【００７１】
しかし、活性酸素が過剰になると、体を酸化させ、老化の原因となる。このように活性酸素のバランスが崩れると、脂質、たんぱく質、酵素、ＤＮＡが攻撃され、癌、生活習慣病、心不全、脳卒中、高血圧、糖尿病、動脈硬化、免疫関連疾患、リウマチ、炎症、自己免疫疾患などの老化が早まる。
【００７２】
体内には抗酸化システム（防御システム）があり、活性酸素を良性の形にして、活性酸素を無力化している。この抗酸化酵素としては、スーパーオキサイドディスムターゼ（ＳＯＤ）、カタラーゼ、グルタシオン過酸化酵素などがある。
【００７３】
このようなマスク部３１は、他に、綿のガーゼ、光触媒作用のある布、ガラス繊維、金属繊維、セラミック繊維、火山岩繊維、岩石繊維等、不燃性または難燃性の繊維で織られた布または不織布、遠赤外線を発したりして加温または保温の作用が高い布、カネカロン、ロンウェーブ、シャインアップ、バンブー繊維、キチンキトサン繊維、ディスメル、防火シート２、難燃綿２１、不燃性の布２２、立体構造編物２３、保温通気シート４などでもよい。
【００７４】
上記防火シート２は、ガラス繊維、金属繊維、セラミック繊維、火山岩繊維、岩石繊維等、不燃性または難燃性の繊維で織られた布または不織布からなる。この防火シート２は、火災等の炎に対して強く燃えないまたは燃えにくいし、熱を伝えにくく、ずきん本体１を防災ずきんとして使用したときに頭部を熱・炎等から守るし、ガラスなどの飛散物、落下物、その他の危険物からも頭部を守る。この防火シート２としては、例えばカネカロンが用いられる。
【００７５】
上記保温通気シート４は、遠赤外線を発したりして加温または保温の作用が高い。上記袋部５もこの保温通気シート４から構成される。また、袋部５のない保温通気シート４の先端部分にも、袋部５と同じデザインの保温通気シート４が重ねて積層されている。これにより、この保温通気シート４が重なっている部分及び袋部５の部分は、肩部にあたり、首から肩にかけて防寒機能を発揮する。
【００７６】
この保温通気シート４は、例えば「ロンウェーブ」（株式会社クラレの製品）が用いられる。この「ロンウェーブ」は、アクリル繊維またはその他の繊維に超微粒子セラミックスが内蔵され／練り込まれている。このセラミックスの働きにより、体温近くの摂氏４０度前後において、遠赤外線が外部へと放射されて、人体への加温効果が発揮される。摂氏４０度前後において、遠赤外線の発生量が最も多い。
【００７７】
上記「ロンウェーブ」の発する遠赤外線の波長は、５．０μｍ以上にわたってほぼまんべんなく多く、上記ゼオライトの発する遠赤外線の波長は、１．５乃至６．０μｍ付近が非常に多く、「ロンウェーブ」の発する遠赤外線の波長は、８乃至１６μｍ付近が非常に多い。遠赤外線発生布２としては、遠赤外線を発生できれば、他のどのような素材でもよいし、中赤外線、中遠赤外線を発生する素材でもよい。
【００７８】
この保温通気シート４としては、他に、ウォーマル、ゼオライト、羊毛ゼオライト、ヤンロン加工布／綿、富士山溶岩シーツ（おとぎの国）などが選択され、遠赤外線を発生して加温作用／血行促進作用を発揮する。この富士山溶岩シーツは、富士山の溶岩の粉末が繊維に練り込まれて、溶岩の成分が含まれているまたは付着されている。このような溶岩シーツは、身体から出た熱を吸収し、この吸収した熱を遠赤外線として放射する。
【００７９】
このような保温通気シート４としては、さらに、他に、立体構造編物、シャインアップ、バンブー繊維、キチンキトサン繊維、ディスメルなどでもよい。立体構造編物は後述し、通気性に優れている。このシャインアップは、ポリエステル繊維とナイロン繊維とからなる複合繊維に金属含有セラミックス系の特殊消臭剤が練り込まれており、二酸化チタンによる光触媒反応により消臭と抗菌効果が発揮される。株式会社信州セラミックスから販売されている布などでも同様のものがある。このようないずれの繊維によるシートの場合でも防水加工が施される。
【００８０】
クッション体３は、さらに、上記難燃性の繊維を混紡したクッション性のある難燃綿２１と、不燃性の布２２と、立体構造編物２３とからなっている。難燃綿２１は、比較的燃えにくいポリエステル繊維等の素材からなる綿、または発泡ウレタンと、上記カネカロンの繊維等とを混紡したものであり、クッション性に富んでいるほか、燃えにくい。
【００８１】
上記不燃性の布２２は、例えば、ＢＥベージュ等であり、ガラス繊維にテフロン（登録商標）加工したものであり、炎が当たっても全く燃えない。上記立体構造編物２３は、隙間が多いにも関わらず、圧力がかかっても、この隙間があまり塞がれず撓まない構造となっていて通気性に飛んでいる。
【００８２】
上記難燃綿２１は、ずきん本体１及びクッション体３の全面にわたって配置され、上記不燃性の布２２及び立体構造編物２３のみは、ずきん本体１の頭頂部から側頭部付近にかけてのみ配置されている。この頭頂部から側頭部付近に掛けては、外側から、上記防火シート２、難燃綿２１、不燃性の布２２、立体構造編物２３、保温通気シート４の順で、非常に多く積層されている。
【００８３】
したがって、頭頂部から側頭部付近にかけては、防火シート２、難燃綿２１、不燃性の布２２で、何重にも、防火されており、防火性が特に高くなっている。これらの防火性の高い個所のさらに頭部側には、通気性の高い立体構造編物２３が配置されている。したがって、これら防火シート２、難燃綿２１、不燃性の布２２によって、通気性が低下しても、立体構造編物２３の通気性で改善され、頭部が蒸れることがなくなる。
【００８４】
この立体構造編物２３は、固く撓みにくく、空隙率が高くて隙間が多く、厚さが薄い。この立体構造編物２３は、人体が当接して撓んで圧縮されても、立体構造編物２３の圧縮／撓みは小さく、頭部の隙間が維持され、通気性及び放湿性が保たれ、蒸れが防止される。
【００８５】
このような立体構造編物２３の構造は、特開２００７−２７０３９４号公報、特開２００５−１７９８０８号公報、特開２００４−１０７８００号公報に示される。これらの公報に記載されていることは、本願発明の詳細な説明にも記載されているものとする。
【００８６】
このような立体構造編物２３は、表裏二層の編地と、この二層の編地の間を連結するフィラメントよりなっている。この表裏二層の編地は、六角形の集合体のハニカム構造、三角形の集合体の構造、四角形の集合体の碁盤格子構造等に編まれる。
【００８７】
このフィラメントは、上記表裏二層の編地の間を連結されるように編まれる。このフィラメントは、「Ｘ字状」「Ｖ字状」「逆Ｖ字状」「Ｍ字状」「Ｎ字状」「Ｗ字状」「Ｋ字状」「Ｙ字状」「Ａ字状」「逆Ａ字状」「□状」「□の中にＸのある状態」「Ｉ字状（多数平行フィラメント）」などの構造をなし、圧力がかかっても表裏二層が接触しにくい構造となっている。
【００８８】
このような構造をなすフィラメントは上記Ｘ字状などであっても、フィラメントどうしは連結されず分離独立されているが、連結されていてもよい。このフィラメント同士の間隔／隙間は、フィラメント自身の太さより数倍乃至十数倍、場合によって数倍乃至数十倍、さらに場合によって数倍乃至百数十倍ほどある。これにより、上述のように、立体構造編物２３は、空隙率が高くて隙間が多くなり、人体が当接して撓んで圧縮されても、隙間が維持され、通気性及び放湿性が保たれる。
【００８９】
（９）他の実施の形態
本発明は上記各実施例に限定されず、本発明の趣旨を逸脱しない範囲で種々変更可能である。例えば、ずきん本体１はクッションのほか、枕、座布団、腰当、背中当て、頭あて、首あて、顔あて、耳あて等としても使用可能である。
【００９０】
マスク部３１の他端だけではなく、一端も着脱面ファスナー３３、連結ホック３８、３９（連結部）、連結ホック４２（連結部）、連結ホック４３（連結部）、連結ホック４１…（連結部）などによって、着脱自在であってもよい。マスク部３１の着脱は、肩掛け（ショール）の左右の着脱は、面ファスナー、線ファスナー、接着テープ、ボタン、フック、ホック、磁石、紐を結んだり解いたり等、着脱自在に連結できれば、なんでもよい。
【００９１】
マスク部３１の一端だけではなく、他端もずきん本体１に縫合されてもよい。ポケット部３２またはマスク部３１は、固定バンド１１内に形成され、固定バンド１１からマスク部３１が引き出されて装着されてもよい。このほか、ポケット部３２またはマスク部３１は、顔部７の上方、ずきん本体１の巻き付け縁３６側、後頭開放縁３７（第一の開放部）側、頭頂開放縁４０（第二の開放部）後面側、後方側、頭頂部側、側面など、どこに設けられてもよい。
【００９２】
上記マスク部３１は、布一枚であったが、複数枚積層されていてもよいし、シート状のほか、網状、メッシュ状、ブラインド状、立体形状、平面形状等、なんでもよい。上記マスク部３１は、口を覆うものであったが、鼻を覆うものでもよいし、口及び鼻を覆うものでもよいし、さらに目を覆うものでもよい。
【００９３】
ポケット部３２は、ずきん本体１内に袋状に形成されるほか、ずきん本体１外に縫い付けられたり、ずきん本体１外に吊り下げられたり、巻き付け縁３６側に設けられたり、後頭開放縁３７（第一の開放部）側に設けられたり、防火シート２側に設けられたり、保温通気シート４側に設けられたり、顔部７側に設けられたり、ずきん本体１の周縁側に設けられたり、どこに設けられてもよい。
【００９４】
上記ずきん本体１は、防災ずきんのほか、防寒用、ファッション用、身飾用、帽子、マフラー、耳カバー、ヘルメットなど、頭部から顔部を覆うもの、ずきんとして使用するものならば、何でもよい。ポケット部３２はなくてもよいし、マスク部３１はなくてもよい。
【００９５】
巻き付け縁３６と後頭開放縁３７（第一の開放部）とは、平行であったが、平行でなくともよく、巻き付け縁３６、後頭開放縁３７（第一の開放部）または頭頂開放縁４０（第二の開放部）は、直線状ではなく、階段状、曲線状など、どのような形状でもよく、後頭開放縁３７（第一の開放部）または頭頂開放縁４０（第二の開放部）は、ずきん本体１の後頭部の中央に沿っておらず、後頭部の中央からずれた位置にあってもよい。
【００９６】
連結ホック３８（連結部）、連結ホック３９（連結部）、連結ホック４２（連結部）、連結ホック４３（連結部）の位置は、上記のものに限られず、巻き付け縁３６、後頭開放縁３７（第一の開放部）、頭頂開放縁４０（第二の開放部）、ずきん本体１の表面、裏面、固定バンド１１の表面、裏面の任意の位置に設けられてもよい。
【００９７】
後頭開放縁３７（第一の開放部）、頭頂開放縁４０（第二の開放部）は、上記位置以外に側頭部、後頭側縁部、頭頂側縁部、前頭部、額部、耳部、首部、側首部、後首部、顔部など、中心からずれた位置に設けられてもよい。係止部４４、４４（係止機構）は、耳に掛けるほか、首に周回されてもよいし、後頭部に係止されてもよいし、髪の毛に係止されてもよいし、人間の頭部に係止できればよい。
【００９８】
巻き付け縁３６、ポケット部３２はなくてもよいし、マスク部３１はなくてもよい。ポケット部３２は、１つ、２つ、３つ以上設けられていてもよく、マスク部３１も１つ、２つ、３つ以上設けられていてもよい。マスク部３１は、ずきん本体１に対して連結されていても、ずきん本体１に対して着脱自在でもよい。
【００９９】
上記顔部７は、覆う部材が存在しないが、薄布、網、レース状の布、その他光を透過する布、透明樹脂板、ガラス素材、その他の素材、光を透過しない素材などで覆われていてもよい。ずきん本体１を開いたとき、ずきん本体１は平坦にならず、凹凸があってもよいし、立体的でもよい。この場合、この凹凸に肩が収納されてもよい。
【０１００】
袋部５は、保温通気シート４側ではなく、防火シート２側に設けられてもよい。これにより、図４に置いて、折り畳んだずきん本体１の上面も下面も保温通気シート４となる。保温通気シート４の下には保温通気シート４外面と全く同じデザインが施されても良い。
【０１０１】
袋部５は、ずきん本体１の一方の右先端だけでなく、左先端にも同様に設けられてもよい。固定バンド１１またはポケット部３２は、ずきん本体１の一方の右先端だけでなく、左先端にも同様に設けられてもよい。これにより、ずきん本体１を左右いずれの方向にも折り畳むことができたり、二つの袋部５を重ねるようにして収納したりもできる。
【０１０２】
上記袋部５の大きさは、保温通気シート４の半分、１／３、１／４、１／５、…でもよく、これに応じて、ずきん本体１は二つ折り、三つ折り、四つ折り、五つ折り、…とされる。袋部５及び固定バンド１１は、弾性的に伸縮自在であれば、ゴムひも、ゴムバンドを使ったもののほか、パンスト布地、ゴムシート、ゴム編み物等なんでもよい。
【０１０３】
上記雌ホック１２と雄ホック１３、着脱面ファスナー３３、連結ホック３８（連結部）、連結ホック３９（連結部）、連結ホック４１…（連結部）、連結ホック４２（連結部）、連結ホック４３（連結部）、係止部４４は、面ファスナー、線ファスナー、接着テープ、ボタン、フック、ホック、磁石、紐を結んだり解いたりする等、着脱自在に連結できれば、なんでもよい。
【０１０４】
防火シート２、クッション体３、保温通気シート４、袋部５、開口部６、固定バンド１１、雌ホック１２、雄ホック１３、緊縮ひも１４、着脱面ファスナー３３、連結ホック３８（連結部）、連結ホック３９（連結部）、連結ホック４１…（連結部）、連結ホック４２（連結部）、連結ホック４３（連結部）、係止部４４の形状は、シート状のほか、網状、メッシュ状、ブラインド状、立体形状、平面形状等、なんでもよい。
【０１０５】
ずきん本体１、防火シート２、クッション体３、保温通気シート４、袋部５、開口部６、顔部７、固定バンド１１、雌ホック１２、雄ホック１３、緊縮ひも１４、マスク部３１、ポケット部３２、着脱面ファスナー３３、巻き付け縁３６、後頭開放縁３７（第一の開放部）、連結ホック３８（連結部）、連結ホック３９（連結部）、頭頂開放縁４０（第二の開放部）、連結ホック４１…（連結部）、連結ホック４２（連結部）、連結ホック４３（連結部）、係止部４４、ずきんの形状は、方形、長方形、正方形、三角形、円板、楕円板、多角形板、台形板、半楕円形、平行四辺形、菱形、多角形、三角形、台形、環形、半環形、星形、扇形、曲線形状、十字形、Ｌ字形、Ｈ字形、Ｉ字形、Ｕ字形、Ｔ字形、Ｃ字形、Ｏ字形、Ｎ字形、Ｍ字形、Ｘ字形、Ｊ字形、Ｙ字形、Ｅ字形、Ｆ字形、Ｓ字形、Ｖ字形、曲面、角張った形状、角張った段差のある形状、丸みを帯びた段差のある形状、丸みを帯びた凹凸のある形状、これらの組み合わせ形状、網状、多数の穴があいたもの、これらの中央等に穴があいたもの、これらの組み合わせ複合形などでもよい。
【０１０６】
ずきん本体１、防火シート２、クッション体３、保温通気シート４、袋部５、開口部６、顔部７、固定バンド１１、雌ホック１２、雄ホック１３、緊縮ひも１４、マスク部３１、ポケット部３２、着脱面ファスナー３３、巻き付け縁３６、後頭開放縁３７（第一の開放部）、連結ホック３８（連結部）、連結ホック３９（連結部）、頭頂開放縁４０（第二の開放部）、連結ホック４１…（連結部）、連結ホック４２（連結部）、連結ホック４３（連結部）、係止部４４、ずきんは、１つ、一層、一体、単数、単層でも複数、複数層でも３つ以上、三層以上でもよいし、単数でも複数でも３つ以上でもよいし、これらそれぞれの構成、動作、作用、工程または機能の一部または全体は省略されてもよいし、分割分離されてその数が増えても減ってもよいし、その形状は任意に変更可能であり、均等の他の物に置き換えられてもよいし、これらの２つまたは３つ以上が合体または一体化されて兼用されてもよいし、向きは図示のもののほか、９０度、０度乃至１８０度、上下、左右、前後、表裏、手前、奥に傾斜／向きを変えて／反転されて使用されてもよく、それぞれの寸法の相対的大小は切り換えられてもよいし同じでもよく、これらの材質は繊維製、軟質樹脂製、硬質樹脂製、布製、樹脂製、金属製、木製、集成材製、合成材製、合板製、表面に化粧紙が接着されたもの、竹製、樹脂製、金属製、ガラス製、綿製、布製、糸製、繊維製、ゴム製、紙製、コンクリート製、セラミック製、カーボン製、硬質ウレタン製、これらの合成物製／混合物製／多層積層物製／複合材料でもよいし、他のものがさらに付加・積層・混合されてもよいし、それぞれの間の固定はボルト及びナット、ねじ、面ファスナー、線ファスナー、縫合、接着剤、接着テープ、フック及びホック、磁石、結んだり解いたりする紐などなんでもよい。
【０１０７】
（１０）他の発明の効果
［１］人間の頭部の後頭部から両側頭部を覆うずきん本体と、  上記人間の顔部にてこのずきん本体に形成された、上記覆う部分が存在しない顔部と、  上記ずきん本体の上記後頭部付近でずきん本体を開いて、当該ずきん本体をほぼ平坦にし、上記人間の両肩に掛けることが可能となる第一の開放部と、  この両肩に掛けられたずきん本体の両端を連結して固定する連結部とを備えたことを特徴とするずきん。
【０１０８】
［２］人間の頭部の後頭部から両側頭部を覆うずきん本体と、  上記人間の顔部にてこのずきん本体に形成された、上記覆う部分が存在しない顔部と、  上記ずきん本体の上記顔部から頭頂部へかけた付近でずきん本体を開いて、当該ずきん本体をほぼ平坦にし、上記人間の両肩に掛けることが可能となる第二の開放部と、  この両肩に掛けられたずきん本体の両端を連結して固定する連結部とを備えたことを特徴とするずきん。
【０１０９】
［３］上記顔部の外縁付近に形成された物を収納可能なポケット部と、  このポケット部付近に一端を固定され、当該ポケット部内に収納可能なマスク部と、  このマスク部を上記ポケット部から引き出して、上記人間の口部付近を覆い、当該マスク部の他端を着脱自在に上記顔部または上記ずきん本体に固定する着脱部とを備えたことを特徴とする請求項１または２記載のずきん。
【０１１０】
これにより、マスク部を使用しないときには、ポケット部にマスク部を収納しておくことができ、マスク部を無くしたりすることがなく、迅速に取り出して装着できる。
【０１１１】
［４］上記マスク部の一端は上記ポケット部付近に着脱自在に固定されていることを特徴とする請求項３記載のずきん。  これにより、マスク部をポケット部から外すことができ、マスク部だけをずきん本体１から分離して使用できる。
【０１１２】
［５］上記ずきん本体を上記人間の両肩に掛けた状態で、上記マスク部が上記人間の口部付近を覆うことを特徴とする請求項４記載のずきん。  これにより、ずきん本体を上記人間の両肩に掛けた状態でもマスク部を使用でき、マスク部を有効活用できる。
【０１１３】
［６］上記ずきん本体を上記人間の両肩に掛けた状態で、人体側には保温性の高い素材が配置され、上記ずきん本体の両肩の部分は凹んで両肩を収納することを特徴とする請求項５記載のずきん。  これにより、両肩を確実に保温できる。
【０１１４】
［７］上記ずきんが両肩に掛けられた状態において、上記マスク部は上記人間の頭部に係止される係止機構が設けられていることを特徴とする請求項６記載のずきん。  これにより、ずきんを両肩に掛けたときにも、マスクを装着できる。
【０１１５】
［８］上記マスク部は上記人間の耳には係止されず、当該頭部に係止するための係止機構が設けられていないことを特徴とする請求項６記載のずきん。  これにより、マスクの係止機構を省略して、マスク部を簡易にできる。
【０１１６】
［１１］防災ずきんとして使用されるときには、  人間の頭部の頭頂部から左右の側頭部を経て左右の肩部にかけて配置されるシートであって、これらの人間の頭部に接する状態で配置される、保温性または通気性のある保温通気シートと、  上記頭部に対して、この保温通気シートの外側のほぼ全面に積層される、上記保温通気シートの十倍乃至千倍の厚さを有し、クッション性を有するクッション体と、  上記頭部に対して、このクッション体の外側のほぼ全面に積層される防火性のシートであって、上記クッション体を間に挟んで上記保温通気シートと一体的に連結される防火シートと、  上記頭部の後頭部に沿って、上記保温通気シート、クッション体及び防火シートの左右の後縁を着脱自在に連結する連結部とを備え、  クッションとして使用されるときには、  上記連結部をはずし、  上記防火シートが当該防火シートを内にして折り曲げられて重ねられ、  これに応じて、上記クッション体も、折り曲げられた防火シートに沿って折り曲げられ、  さらにこれに応じて、上記保温通気シートも、折り曲げられたクッション体に沿って折り曲げられ、しかも当該クッション全体にわたる外面全面に沿って配置されることを特徴とする防災ずきん兼クッション。
【０１１７】
これにより、本件防災ずきん兼クッションを表向きでは防災ずきんとして使用でき、裏返してクッションまたは枕等の人体に接するクッション材として使用できる。また、クッションとして使用するときに、コンパクトにまとまり、不用意に広がったり展開したりせず、快適に使用できる。
【０１１８】
［１２］上記左右の肩部まで到達している、上記保温通気シートの先端付近の全面には、頭頂部に向かって開口していて、伸縮自在の袋部が設けられ、  この先端の袋部は、保温性または通気性のある素材で構成され、  上記クッションとして使用されるときには、この先端の袋部は、他の先端のクッション体、保温通気シート及び防火シートの先端に向かって反転して裏返され、この裏返された袋部の中に、他の先端のクッション体、保温通気シート及び防火シートの先端が収納されて、これらクッション体、保温通気シート及び防火シートの左右先端が離れないように連結固定されることを特徴とする請求項１１記載の防災ずきん兼クッション。
【０１１９】
これにより、防災ずきん兼クッションをクッションにしたとき、外面を保温通気シートにして、人体への肌触りがよくなり、快適な当接感が得られる。また、袋部の中に、防火シート、クッション体及び保温通気シートを収納できて、クッションに最適な折り畳み状態を維持できる。
【０１２０】
［１３］上記保温通気シート、クッション体及び防火シートの上記袋部のある方の先端であって、上記頭部の下の首部付近には、前後両縁をつなぐ位置付近に伸縮自在の固定バンドの両端が連結され、  上記防災ずきんとして使用されるときには、この固定バンドは、頭部をくぐって、上記袋部のない先端側に反転されて、上記クッション体、保温通気シート及び防火シートの左右を、当該首部付近で絞って、当該防災ずきん兼クッションを頭部から離脱しないように固定し、  上記クッションとして使用されるときには、この固定バンドは、上記袋部のない先端側に架け渡されて、上記クッション体、保温通気シート及び防火シートの左右が離れないように連結固定され、
この後さらに、上記袋部が反転して裏返されることを特徴とする請求項１２記載の防災ずきん兼クッション。
【０１２１】
これにより、防災ずきん兼クッションを折り畳んだ状態で固定でき、防火シート、クッション体及び保温通気シートが不用意に飛び出さない。また、固定バンドが袋部内に隠され、固定バンドが不用意に引っかかることがなくなる。
【０１２２】
［１４］上記左右の肩部まで到達している、上記保温通気シートの先端付近の全面には、頭頂部に向かって開口していて、伸縮自在の袋部が設けられ、  この先端の袋部は、保温性または通気性のある素材で構成され、  上記クッションとして使用されるときには、上記袋部のない先端側から折り曲げられて、当該袋部の中に収納され、この折り曲げられたクッション体、保温通気シート及び防火シートが、折り曲げられた状態で固定されることを特徴とする請求項１１記載の防災ずきん兼クッション。
【０１２３】
これにより、防災ずきん兼クッションをクッションにしたとき、外面の片面を防火シートにして、クッションのままでも、防火のために使用できる。また、袋部の中に、防火シート、クッション体及び保温通気シートを収納できて、クッションに最適な折り畳み状態を維持できる。
【０１２４】
［１５］上記保温通気シート、クッション体及び防火シートの上記袋部のある方の先端であって、上記頭部の下の首部付近には、前後両縁をつなぐ位置付近に伸縮自在の固定バンドの両端が連結され、  上記防災ずきんとして使用されるときには、この固定バンドは、頭部をくぐって、上記袋部のない先端側に反転されて、上記クッション体、保温通気シート及び防火シートの左右を、当該首部付近で絞って、当該防災ずきん兼クッションを頭部から離脱しないように固定し、
上記クッションとして使用されるときには、上記袋部のない先端側が上記袋部の中に折り込まれた後に、この固定バンドは、袋部の外面側に反転されて、当該袋部から、上記クッション体、保温通気シート及び防火シートが飛び出さないように固定されることを特徴とする請求項１４記載の防災ずきん兼クッション。
【０１２５】
これにより、防災ずきん兼クッションを折り畳んだ状態で固定でき、防火シート、クッション体及び保温通気シートが不用意に飛び出さない。また、固定バンドが袋部外に出され、固定バンドを運搬用の取っ手にしたり、収納のときに引っ掛けて吊り下げることができる。
【０１２６】
［１６］防災ずきん兼クッションの頭頂部付近は、他の部分より、防火性の素材がより多く積層されるとともに、通気性の高い素材もより多く積層され、この通気性の高い素材は、上記防火性の高い素材より、頭頂部に近い方に積層されていることを特徴とする請求項１３または１５記載の防災ずきん兼クッション。
【０１２７】
これにより、頭頂部付近の防火性を向上できるほか、この防火性の向上で通気性が低下しても、通気性が低下することがなく、頭頂部付近が蒸れることがない。
【産業上の利用可能性】
【０１２８】
非常時以外の平時でも違和感なくずきんを装着する。平時には、後頭開放縁３７（第一の開放部）または頭頂開放縁４０（第二の開放部）でずきん本体１を開いてほぼ平坦にし、保温通気シート４側を内側にして人間の両肩に掛けて保温できる。ポケット部３２からマスク部３１を取り出して、口などに掛けることができる。
【０１２９】
非常時には、防火シート２側を外にして、ずきん本体１の後頭開放縁３７または頭頂開放縁４０を閉じて、ずきん本体１をずきん状にして、頭から被って覆う。上記マスク部３１は耳に掛けてもよいし掛けなくてもよい。マスク部３１はずきん本体１装着時のほか肩掛け装着時にも口に掛けることができる。
【図１】
2019187972.tif 000003
【図２】
2019187972.tif 000004
【図３】
2019187972.tif 000005
【図４】
2019187972.tif 000006
【図５】
2019187972.tif 000007
【図６】
2019187972.tif 000008
【図７】
2019187972.tif 000009
【図８】
2019187972.tif 000010